(57)【要約】【課題】正確に撮影範囲を確認して、確実に所望の撮影を行う。【解決手段】凸面鏡６及びフラッシュ光放射窓部３４は、略等しい寸法の略円形形状を有すると共に、撮影窓部２６の左右両側に、線対称な位置関係で配置されている。凸面鏡６は、凸状の曲面を鏡面６ａとして有し、その中心を通る光軸ＸMが、カメラレンズの光軸ＸLと所定の傾斜角度をなすように上側筐体２１のリアカバー上に傾斜した状態で配設されている。これによって、凸面鏡６がカメラレンズから離れた位置に配置されていても、撮影者は、正確に撮影範囲を確認して、確実に所望の撮影を行うことができる。【選択図】図１
2005333384.tif 000002
【特許請求の範囲】
【請求項１】
カメラレンズと、被写体の構図を決定するために用いられ、前記被写体側から到来した光を反射させる鏡面を有する構図決定用鏡とを備えてなる撮影機能付きの携帯型電子機器であって、
前記構図決定用鏡は、前記鏡面が前記カメラレンズ側に傾斜した状態で前記筐体上に配設されていることを特徴とする携帯型電子機器。
【請求項２】
前記鏡面は、凸状の曲面形状を有していることを特徴とする請求項１記載の携帯型電子機器。
【請求項３】
前記構図決定用鏡は、前記カメラレンズを通る第１の光軸に対して、前記鏡面を通る第２の光軸が所定の傾斜角度で傾くように配設されていることを特徴とする請求項１又は２記載の携帯型電子機器。
【請求項４】
前記鏡面は、平面視で略円形形状を有し、前記第２の光軸は、その中心を通ることを特徴とする請求項３記載の携帯型電子機器。
【請求項５】
前記傾斜角度は、前記カメラレンズと前記構図決定用鏡との間の離隔距離、及び／又は予め設定される前記カメラレンズと前記被写体との間の想定距離に基づいて、設定されることを特徴とする請求項３又は４記載の携帯型電子機器。
【請求項６】
前記傾斜角度は、その正接が、前記カメラレンズと前記構図決定用鏡との間の離隔距離を、予め設定される前記カメラレンズと前記被写体との間の想定距離で除した値に略等しくなるように設定されることを特徴とする請求項３、４又は５記載の携帯型電子機器。
【請求項７】
前記カメラレンズと前記被写体との間の想定距離は、４５０ｍｍ以上６００ｍｍ以下の範囲で、設定されることを特徴とする請求項５又は６記載の携帯型電子機器。
【請求項８】
前記カメラレンズは、前記第１の光軸が、前記第２の光軸と平行となる向きに傾いた状態で、前記筐体内に配置されていることを特徴とする請求項３乃至７のいずれか１に記載の携帯型電子機器。
【請求項９】
前記構図決定用鏡は、前記筐体に対して着脱自在とされ、前記筐体上に配設された際に前記傾斜角度が互いに異なる複数種類の鏡を含むことを特徴とする請求項１乃至８のいずれか１に記載の携帯型電子機器。
【請求項１０】
前記傾斜角度が、連続的に変更可能であるように構成されていることを特徴とする請求項１乃至８のいずれか１に記載の携帯型電子機器。
【請求項１１】
前記筐体上には、ストロボ撮影時にフラッシュ光を放射するためのフラッシュ光放射窓部が、前記被写体から到来した光が入射する撮影窓部を挟んで、前記構図決定用鏡と線対称な位置関係で、配設されていることを特徴とする請求項１乃至１０のいずれか１に記載の携帯型電子機器。
【請求項１２】
前記カメラレンズを含むカメラユニットが前記筐体内に収納されていることを特徴とする請求項１乃至１１のいずれか１に記載の携帯型電子機器。
【発明の詳細な説明】
【技術分野】
【０００１】
この発明は、撮影機能付きの携帯型電子機器に係り、撮影者が自分自身を含む被写体を撮影する際に被写体像を映す凸面鏡が筐体上に設けられた携帯電話機等の携帯帯型電子機器に関する。
【背景技術】
【０００２】
近年、携帯型電子機器としての携帯電話機には、本来の通話機能や、データ通信機能のみならず、電子カメラが搭載されたものも一般化されてきており、例えば、電子メールの送受信に際して、送信者は、周囲の風景や自分自身の顔等を画像データとして添付して受信者側に送信し、受信者はディスプレイ上で相手の様子等を確認することができるようになっている（例えば、特許文献１参照。）。
このような撮影機能を有する例えば折畳型の携帯電話機１０１には、図７に示すように、筐体１０２の背面側（折畳時には外面側となる側）には電子カメラの撮影窓１０３が設けられ、この撮影窓１０３の内部側にカメラレンズが配置されている。
さらに、撮影窓１０３の真横には撮影者自身撮影時の撮影範囲確認のための小型の鏡面部１０４が設けられており、撮影者が自分自身を撮影する際には、鏡面部１０４に自分自身の像が映し出されるように携帯電話機１０１を構え、この鏡面部１０４を見て撮影範囲からずれていないことを確認するようにしていた。なお、同図は、携帯電話機１０１の筐体が閉じた様子を示している。
【０００３】
しかしながら、同図に示すように、鏡面部１０４が撮影窓１０３近傍に配置されることによって、デザイン上違和感が生じ、鏡面部１０４は目立たないように小領域に設けられているものの、美感上好ましくないという問題がある。
ところで、例えば部品配置上制約が課せられているような場合に、図８に示すように、表面が球面形状の凸面鏡２０１を撮影窓部２０２から所定距離離隔させて配置することがある。
【０００４】
さらに、ストロボ撮影時にフラッシュ光を放射するためのフラッシュ光放射窓部２０３が配置されるときは、凸面鏡２０１の形状をフラッシュ光放射窓部２０３の形状と同様に円形形状とし、凸面鏡２０１とフラッシュ光放射窓２０２とが、筐体表面に沿って撮影窓部２０２の中心を通る対称軸に対して略線対称となるように、凸面鏡２０１とフラッシュ光放射窓部２０３と撮影窓部２０２とを配置することによって、美感を向上させることができる。
ここで、図８及び図９に示すように、カメラレンズ２０４の光軸Ｘ0と、凸面鏡２０１の中心を通る光軸Ｘ1とが略平行となるように、カメラレンズ２０４及び凸面鏡２０１は配設される。なお、図８中、符号２０５は、カメラレンズ２０４が内蔵された鏡筒、符号２０６は、カメラレンズ２０４等を保護するためのスクリーンを示す。
【特許文献１】特開２０００−２９５３２３号公報
【発明の開示】
【発明が解決しようとする課題】
【０００５】
解決しようとする問題点は、上記従来技術では、凸面鏡２０１がカメラレンズ２０４から所定の離隔離れた位置に配置されているために、図９に示すように、凸面鏡２０１に映る像を見て、この像を撮影対象として撮影を行うと、撮影すべき被写体２０７の像が撮影範囲から外れてしまって、撮影が失敗してしまうことがあるという点である。
【０００６】
この発明は、上述の事情に鑑みてなされたもので、凸面鏡２０１がカメラレンズ２０４から離れた位置に配置されていても、正確に撮影範囲を確認して、例えば、撮影すべき被写体２０７の像が撮影範囲から外れる等、失敗することなく確実に所望の撮影を行うことができる携帯型電子機器を提供することを目的としている。
【課題を解決するための手段】
【０００７】
上記課題を解決するために、請求項１記載の発明は、カメラレンズと、被写体の構図を決定するために用いられ、上記被写体側から到来した光を反射させる鏡面を有する構図決定用鏡とを備えてなる撮影機能付きの携帯型電子機器に係り、上記構図決定用鏡は、上記鏡面が上記カメラレンズ側に傾斜した状態で上記筐体上に配設されていることを特徴としている。
【０００８】
また、請求項２記載の発明は、請求項１記載の携帯型電子機器に係り、上記鏡面は、凸状の曲面形状を有していることを特徴としている。
【０００９】
また、請求項３記載の発明は、請求項１又は２記載の携帯型電子機器に係り、上記構図決定用鏡は、上記カメラレンズを通る第１の光軸に対して、上記鏡面を通る第２の光軸が所定の傾斜角度で傾くように配設されていることを特徴としている。
【００１０】
また、請求項４記載の発明は、請求項３記載の携帯型電子機器に係り、上記鏡面は、平面視で略円形形状を有し、上記第２の光軸は、その中心を通ることを特徴としている。
【００１１】
また、請求項５記載の発明は、請求項３又は４記載の携帯型電子機器に係り、上記傾斜角度は、上記カメラレンズと上記構図決定用鏡との間の離隔距離、及び／又は予め設定される上記カメラレンズと上記被写体との間の想定距離に基づいて、設定されることを特徴としている。
【００１２】
また、請求項６記載の発明は、請求項３、４又は５記載の携帯型電子機器に係り、上記傾斜角度は、その正接が、上記カメラレンズと上記構図決定用鏡との間の離隔距離を、予め設定される上記カメラレンズと上記被写体との間の想定距離で除した値に略等しくなるように設定されることを特徴としている。
【００１３】
また、請求項７記載の発明は、請求項５又は６記載の携帯型電子機器に係り、上記カメラレンズと上記被写体との間の想定距離は、４５０ｍｍ以上６００ｍｍ以下の範囲で、設定されることを特徴としている。
【００１４】
また、請求項８記載の発明は、請求項３乃至７のいずれか１に記載の携帯型電子機器に係り、上記カメラレンズは、上記第１の光軸が、上記第２の光軸と平行となる向きに傾いた状態で、上記筐体内に配置されていることを特徴としている。
【００１５】
また、請求項９記載の発明は、請求項１乃至８のいずれか１に記載の携帯型電子機器に係り、上記構図決定用鏡は、上記筐体に対して着脱自在とされ、上記筐体上に配設された際に上記傾斜角度が互いに異なる複数種類の鏡を含むことを特徴としている。
【００１６】
また、請求項１０記載の発明は、請求項１乃至８のいずれか１に記載の携帯型電子機器に係り、上記傾斜角度が、連続的に変更可能であるように構成されていることを特徴としている。
【００１７】
また、請求項１１記載の発明は、請求項１乃至１０のいずれか１に記載の携帯型電子機器に係り、上記筐体上には、ストロボ撮影時にフラッシュ光を放射するためのフラッシュ光放射窓部が、上記被写体から到来した光が入射する撮影窓部を挟んで、上記構図決定用鏡と線対称な位置関係で、配設されていることを特徴としている。
【００１８】
また、請求項１２記載の発明は、請求項１乃至１１のいずれか１に記載の携帯型電子機器に係り、上記カメラレンズを含むカメラユニットが上記筐体内に収納されていることを特徴としている。
【発明の効果】
【００１９】
この発明の構成によれば、構図決定用鏡がカメラレンズ側に傾斜させて配設されているので、構図決定用鏡がカメラレンズから離れた位置に配置されていても、正確に撮影範囲を確認して、例えば、撮影すべき被写体の像が撮影範囲から外れてしまう等、失敗することなく確実に所望の撮影を行うことができる。
【発明を実施するための最良の形態】
【００２０】
構図決定用鏡がカメラレンズ側に傾斜させて配設されていることによって、構図決定用鏡がカメラレンズから離れた位置に配置されていても、正確に撮影範囲を確認して、例えば、撮影すべき被写体の像が撮影範囲から外れてしまう等、失敗することなく確実に所望の撮影を行うという目的を実現した。
【実施例１】
【００２１】
図１は、この発明の第１実施例である携帯電話機の構成を示す断面図、図２は、同携帯電話機の構成を示す斜視図であって、同携帯電話機の筐体が閉じた状態の様子を背面側から見た図、図３は、同携帯電話機の構成を示す斜視図であって、同携帯電話機の筐体が開いた状態の様子を背面側から見た図、図４は、同携帯電話機の構成を示すブロック図、また、図５は、同携帯電話機の機能を説明するための説明図である。
【００２２】
この例の携帯電話機１は、図２及び図３に示すように、折畳可能な筐体２を備えると共に、本来の通話機能やデータ通信機能に加えて、内蔵された電子カメラによる撮影機能を有し、図１乃至図４に示すように、当該携帯電話機本体の構成各部を制御する制御部３と、制御部３が実行する処理プログラムや各種データ等を記憶するための記憶部４と、例えば周囲の風景や人物等を撮影するための電子カメラユニット５と、操作者（撮影者）が自分自身を撮影する際に構図を決定するために用いられ、撮影範囲の像が映し出される凸面鏡６と、ＬＥＤを有し例えばストロボ撮影時にフラッシュ光を発光する発光部７と、発光部７を構成するＬＥＤを駆動するためのＬＥＤ駆動部８と、電波の送受信を行うアンテナ９と、アンテナ９を介して無線電波の送受信を行い、所定のプロトコルに従って通話やデータ通信を行うために用いられる無線通信部１１と、数字や文字の入力操作等を行うための多数の各種操作キー等からなる操作部１２と、折畳時に内側となる側に配設され液晶表示装置からなり例えば待受画面や機能設定画面等が表示される表示部１３と、受話音声出力用スピーカからなる受話部１４と、音声入力用のマイクロフォンからなる送話部１５と、着信時に着信音を発生すると共に、撮影時に擬似シャッタ音を発生するリンガ発生部１６と、振動によって例えば着信を通知するための振動部１７とから概略構成されている。
【００２３】
筐体２は、図２及び図３に示すように、ヒンジ部１９で相互に結合された上側筐体２１と下側筐体２２とからなり、ヒンジ部１９は、上側筐体２１と下側筐体２２とを回転自在に結合して当該携帯電話機１に折畳可能な構造を付与している。
制御部３は、ＣＰＵ（中央処理装置）等からなり、記憶部４に記憶された各種処理プログラムを実行し、記憶部４に確保された各種レジスタやフラグを用いて、構成各部を制御し、撮像情報処理や、発光制御処理、通信制御処理、操作制御処理、表示制御処理等を行う。
【００２４】
記憶部４は、ＲＯＭ、ＲＡＭ等の半導体メモリからなり、制御部３が実行する撮像情報処理プログラムや、発光制御処理プログラム、通信制御処理プログラム、操作制御プログラム、表示制御プログラム、ホームページを閲覧するためのプログラムとしてのブラウザ、電子メールを作成したり送受信するためのプログラムとしてのメーラ等の各種処理プログラム等をが記憶されたプログラム記憶領域と、各機能の設定情報や通信履歴情報、電話帳情報、電子カメラユニット５によって撮影された画像情報等の各種情報が記憶された情報記憶領域とを有すると共に、この記憶部４には、制御部３がプログラム実行時に用いる各種レジスタやフラグが確保されている。
【００２５】
電子カメラユニット５は、図１乃至図４に示すように、上側筐体２１の折畳時に外側となる面に設けられ、スクリーン部材２５を介して被写体から到来した光が入射する撮影窓部２６と、撮影窓部２６を介して被写体から到来した光が入射し、カメラレンズ２７が内蔵された鏡筒２８と、カメラレンズ２７によって結像した画像を光電変換して電気信号としての画像信号を出力するＣＭＯＳ撮像素子等からなる撮像デバイス２９と、撮像デバイス２９から送られてきた画像信号をＡ／Ｄ変換するＡ／Ｄ変換部３１と、Ａ／Ｄ変換部３１でデジタル化された信号にガンマ変換、色空間変換等の画像処理を施す画像処理部３２とを有している。
なお、この例では、接写撮影／通常撮影の切換が切換レバー（不図示）の操作により可能とされている。
【００２６】
凸面鏡６は、図１及び図５に示すように、平面視で略円形の所定の曲率半径の球面を構成する凸状の曲面を鏡面６ａとして有し、この鏡面６ａの中心を通る光軸ＸMが、カメラレンズ２７の光軸XLと傾斜角度θ1をなすように上側筐体２１のリアカバー上に傾斜した状態で配設されている。
この傾斜角度θ1は、凸面鏡６とカメラレンズ２７との間の離隔距離Ｄと、予め設定されたカメラレンズ２７と被写体Ｐとの間の想定距離Ｌとに基づいて、式（１）によって、求められる。
θ1＝ｔａｎ−１（Ｄ／Ｌ）                                      …（１）
ここで、離隔距離Ｄは、例えば、凸面鏡６の鏡面６ａの中心位置とカメラレンズ２７の中心位置との間の距離（この例では、略１５ｍｍ）によって与えられ、想定距離Ｌは、操作者（撮影者）が携帯電話機１を片手で把持して腕を伸ばした状態でのカメラレンズ２７の中心位置と被写体Ｐとしての操作者（撮影者）の例えば目の位置との間の距離（通常、４５０ｍｍ〜６００ｍｍ、この例では、略５００ｍｍ）として予め設定される。
【００２７】
発光部７は、プリント配線基板上に搭載された白色光を発光する白色ＬＥＤユニット（不図示）と、白色ＬＥＤユニットで発生したフラッシュ光が被写体へ向けて放射されるフラッシュ光放射窓部３４とを有してなっている。
この白色ＬＥＤユニットは、例えば、複数の青色ＬＥＤと、青色ＬＥＤから放射された青色光により黄色光を発光する蛍光材料が混入された蛍光板とを有してなり、撮影時に必要に応じてフラッシュ光（ストロボ光）を得るために用いられる。
【００２８】
ここで、凸面鏡６の鏡面６ａ及びフラッシュ光放射窓部３４は、略等しい寸法の略円形形状を有すると共に、撮影窓部２６の左右両側に、上側筐体２１の表面に沿って撮影窓部２６の中心を通る軸を対称軸として、線対称な位置関係で配置されている。
なお、上側筐体２１の凸面鏡６、撮影窓部２６及びフラッシュ光放射窓部３４の配置領域には、塵埃や水分の開口部からの侵入を防止するためのカバー部材３５が嵌め込まれている。
【００２９】
無線通信部１１は、ＲＦ回路や、変復調回路、ベースバンド処理回路等からなり、音声やデータを変調してアンテナ９を介して無線電波として送信すると共に、無線電波をアンテナ９を介して受信して音声やデータに復調し、所定のプロトコルに従って通話やデータ通信を行うために用いられる。
操作部１２は、電子カメラユニット５による撮影を可能とする撮影モードを選択すると共にシャッタ釦を兼ねる撮影モードキーや、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、表示部１３に表示された表示画面状のカーソルを上下左右方向へ移動させるためのカーソルキーと、例えば数字等を入力するためのテンキー群とを有している。
【００３０】
表示部１３は、上側筐体２１の折畳時に内側となる面に配設され例えば透過型の液晶表示装置を有してなっている。液晶表示装置は、液晶パネルと、液晶パネルに照明光を与えるバックライト装置と、液晶パネルを駆動する駆動回路とを有している。
液晶パネルは、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
【００３１】
次に、図５を参照してこの例の携帯電話機１の動作について説明する。
電源投入後、制御部３は、操作者による入力操作や着信を待機する待受モードに入り、表示部１３には待受画面を表示させる。
携帯電話機１の筐体２が閉じた状態で、操作者が、撮影モードキーを押下して、撮影モードを選択すると、制御部３は、カメラ起動要求として受け付け、撮影モードに移行する（すなわち、電子カメラユニット５を起動させる）。
【００３２】
ここで、操作者は、片手で携帯電話機１を把持し、例えば、腕を伸ばした状態で、凸面鏡６の鏡面６ａに映し出された自分自身を含む被写体像を確認する。
このとき、凸面鏡６は、その中心を通る光軸ＸMが、カメラレンズ２７の光軸XLと傾斜角度θ1をなすように上側筐体２１のリアカバー上に傾斜した状態で配設され、鏡面６ａが被写体Ｐの方を向いているために、凸面鏡６の鏡面６ａに映し出された自分自身を含む被写体像は、撮影範囲にある被写体像と略一致する。
操作者は、この状態で撮影範囲等を確認する。
【００３３】
操作者は、凸面鏡６を見て構図を決定し撮影範囲等を確認したならば、カメラレンズ２７の方を注視して、撮影モードキーを再び押下する。制御部３が、この撮影モードキーの押下を、シャッタ釦の押下として認識すると、リンガ発生部１６から擬似シャッタ音を発生させ、これによって、操作者や、被写体となった人物、周囲の者は、撮影がなされたことを知る。
【００３４】
同時に、この操作によって、撮影画像が取り込まれ、制御部３は、撮影によって得られた画像データを画像処理部３２から受け取ると、記憶部４に格納し、この画像データに基づいて所定の表示信号を表示部１３に与えて画像を表示させる。
この後、操作者が例えば友人宛てに電子メールに撮影した印刷物の画像を添付して送信したいと考えて、操作部１２のメールモード選択キーを押下してメールモードとし、送信操作を行った場合は、これによって、制御部３は、撮影によって得られた画像データを、無線通信部１１を介して操作者が指定した他の携帯電話機等へ送信する。
【００３５】
なお、操作者は、凸面鏡６の鏡面６ａを見て構図を決定し撮影範囲等を確認した後、このまま、カメラレンズ２７を見ずに、凸面鏡６を注視して撮影モードキーを押下することによって、操作者自身の斜め方向からの像の撮影も可能となる。
また、携帯電話機１の筐体２が開いた状態では、制御部３は、表示部１３に、カメラレンズ２７の前方の被写体を画面表示させると共に、現在、撮影スタンバイ状態であり、再び撮影モードキーを押下することにより撮影可能である旨のメッセージを表示させる。
操作者は、被写体に向けて、当該携帯電話機１を構え、表示部１３に映し出された被写体の映像を見て、好みの大きさや撮影範囲で映し出されるように、当該携帯電話機１の姿勢等を修正し構図を決定する。構図を決定し撮影範囲等を確認したならば、操作者は撮影モードキーを再び押下する。
【００３６】
この例の構成によれば、凸面鏡６がカメラレンズ２７側に所定角傾斜させて配置されているので、凸面鏡６がカメラレンズ２７から離れた位置に配置されていても、操作者（撮影者）は、正確に撮影範囲を確認して、例えば、撮影すべき被写体Ｐの像が撮影範囲から外れてしまう等、失敗することなく確実に所望の撮影を行うことができる。
また、撮影者自身を撮影する場合に、正面だけでなく、斜めからの撮影を円滑に行うことができる。
【実施例２】
【００３７】
図６は、この発明の第２実施例である携帯電話機の機能を説明するための説明図である。
この例が上述した実施例１と大きく異なるところは、図６に示すように、カメラレンズ２７の光軸ＸLを、凸面鏡６の鏡面６ａの中心を通る光軸ＸMと平行となる向きに、上側筐体２１の取付け面２１ａの法線ＸHに対して僅かに所定の傾斜角度θ3で傾くように設定した点である。
これ以外の構成は、上述した実施例１の構成と略同一であるので、その説明を簡略にする。
【００３８】
この例の携帯電話機では、図６に示すように、凸面鏡６は、平面視で略円形の所定の曲率半径の球面を構成する凸状の曲面を鏡面６ａとして有し、この鏡面６ａの中心を通る光軸ＸMが、上側筐体２１の取付け面２１ａの法線ＸHと傾斜角度θ2をなすように上側筐体２１のリアカバー上に傾斜した状態で配設されている。この例の傾斜角度θ2は、実施例１で設定した傾斜角度θ1と略同一である。
また、カメラレンズ２７は、その光軸ＸLが、凸面鏡６の鏡面６ａの中心を通る光軸ＸMと平行となる向きに、取付け面２１ａの法線ＸHと傾斜角度θ3をなすように傾けた状態で配設されている。
ここで、この傾斜角度θ3は、光軸ＸMの法線ＸHに対する傾斜角度θ2までの範囲内で設定されている。
【００３９】
この例でも、携帯電話機の筐体が閉じた状態で、操作者が、撮影モードキーを押下して、撮影モードを選択すると、制御部３は、カメラ起動要求として受け付け、撮影モードに移行する。
ここで、操作者は、片手で携帯電話機１を把持し、例えば、腕を伸ばした状態で、凸面鏡６の鏡面６ａに映し出された自分自身を含む被写体像を確認する。
【００４０】
このとき、凸面鏡６は、その中心を通る光軸ＸMが、取付け面２１ａの法線ＸHと傾斜角度θ2をなすように上側筐体２１のリアカバー上に傾斜した状態で鏡面６ａが被写体Ｐの方を向くように配設され、かつ、カメラレンズ２７の光軸ＸLも取付け面２１ａの法線ＸHと傾斜角度θ3をなすように、カメラレンズ２７が配設されているために、凸面鏡６の鏡面６ａに映し出された操作者自身を含む被写体像は、撮影範囲にある被写体像と略一致する。
操作者は、この状態で撮影範囲等を確認して、カメラレンズ２７の方を注視して、撮影モードキーを再び押下する。
【００４１】
なお、携帯電話機の筐体が開いた状態では、制御部３は、表示部１３に、カメラレンズ２７の前方の被写体を画面表示させる。ここで、画面表示された撮影範囲は、携帯電話機（取付け面２１ａの法線ＸH）を同一方向に向けた場合に、実施例１の場合と比べて僅かにフラッシュ光放射窓部３４側の像が表示される。
操作者は、被写体に向けて、当該携帯電話機を構え、表示部１３に映し出された被写体の映像を見て確認し、撮影モードキーを再び押下する。
【００４２】
この例の構成によれば、上述した実施例１と略同様の効果を得ることができる。
加えて、カメラレンズ２７が、その光軸ＸLが、光軸ＸMと平行となる向きに、取付け面２１ａの法線ＸHと傾斜角度θ3をなすように傾けた状態で配設されているので、操作者（撮影者）自身の位置はもちろん、操作者自身を含む被写体の範囲と、実際の撮影範囲との間の誤差が一段と抑制され、操作者は、一段と正確に撮影範囲を把握することができる。
【００４３】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、凸面鏡、撮影窓部及びフラッシュ光放射窓部を、横方向に沿って配置する場合について述べたが、縦（上下）方向に沿って配置するようにしても良い。
また、例えば発光部を省略する場合は、凸面鏡を、線対称位置に一対配置するようにしても良い。
また、鏡面の形状は、球面に限らず、例えば、回転楕円体面であっても良いし、円筒面としても良い。
また、凸面鏡の傾斜角度を連続的に又は段階的に変更可能に構成しても良い。この場合、手動で変更可能としても良いし、例えば、被写体までの距離を測定する機能を付加して、自動的に変更させるようにしても良い。また、手動で変更させる場合には、案内メッセージ（傾斜角度に対応する被写体までの距離等）を音声で出力するようにしても良い。
【００４４】
また、着脱自在な傾斜角度の異なる複数種の凸面鏡を用意し、凸面鏡自体を交換して、操作者の例えば腕の長さ等に合わせて（すなわち、被写体までの距離に応じて）取り換えて用いるようにしても良い。
また、凸面鏡は、その光軸が、カメラレンズの光軸と所定の傾斜角度をなすように配置されていれば、例えばその底面が筐体上に傾斜させずにそのまま配置されていても良い。
また、上述した実施例では、凸面鏡、撮影窓部及びフラッシュ光放射窓部を上側筐体（受話部が配設される側）に配設する場合について述べたが、下側筐体（送話部が配設される側）に配設するようにしても良い。
また、カメラレンズを含む電子カメラユニットを筐体内に収納する場合について述べたが、カメラレンズを外付けとしても良いし、例えば、標準レンズを内蔵し、これと組み合わせる補助レンズとしての接写レンズ等を外付けするようにしても良い。
また、実施例２では、カメラレンズの光軸の傾きを固定する場合について述べたが、カメラレンズの光軸の傾きは、自分撮影時とこれ以外の場合とで切換可能としても良い。また、切換可能とするほかに、連続的に変更可能としても良い。
【産業上の利用可能性】
【００４５】
携帯型電子機器としての携帯電話機のほか、デジタルカメラや、撮影機能を有する携帯情報端末（ＰＤＡ）等に適用することができる。
【図面の簡単な説明】
【００４６】
【図１】この発明の第１実施例である携帯電話機の構成を示す断面図である。
【図２】同携帯電話機の構成を示す斜視図であって、同携帯電話機の筐体が閉じた状態の様子を背面側から見た図である。
【図３】同携帯電話機の構成を示す斜視図であって、同携帯電話機の筐体が開いた状態の様子を背面側から見た図である。
【図４】同携帯電話機の構成を示すブロック図である。
【図５】同携帯電話機の機能を説明するための説明図である。
【図６】この発明の第２実施例である携帯電話機の機能を説明するための説明図である。
【図７】従来技術を説明するための説明図である。
【図８】従来技術を説明するための説明図である。
【図９】従来技術を説明するための説明図である。
【符号の説明】
【００４７】
１      携帯電話機（携帯型電子機器）
３      制御部
４      記憶部
５      電子カメラユニット（電子カメラ）
６      凸面鏡（構図決定用鏡）
６ａ    鏡面
７      発光部
２１      上側筐体
２１ａ      取付け面
２６      撮影窓部
２７      カメラレンズ
２８      鏡筒
３４      フラッシュ光放射窓部
Ｐ      被写体
ＸL      光軸（第１の光軸）
ＸM      光軸（第２の光軸）
ＸH      法線
θ1，θ2      傾斜角度
θ3      傾斜角度
【図１】
2005333384.tif 000003
【図２】
2005333384.tif 000004
【図３】
2005333384.tif 000005
【図４】
2005333384.tif 000006
【図５】
2005333384.tif 000007
【図６】
2005333384.tif 000008
【図７】
2005333384.tif 000009
【図８】
2005333384.tif 000010
【図９】
2005333384.tif 000011